(57)【要約】【課題】光ディスクのラベル面に対する描画中に発生する描画ムラを補正しながら可視情報を描画する。【解決手段】光ディスク１のラベル面に描画データに応じた可視情報を描画する光ディスク装置は、光ディスク１に対してレーザ光を照射すると共に、光ディスク１からの反射光を受光する光ピックアップヘッド３と、光ピックアップヘッド３からラベル面に描画データに応じたレーザ光を照射して可視情報を描画し、その可視情報が描画されたラベル面を光ピックアップヘッド３により読み取り、その読み取った反射光のレベル差から描画ムラがある描画箇所を検出した場合、レベル差に応じた補正用の記録パワーを設定し、この記録パワーに応じた描画データのレーザ光を当該描画箇所に照射して再描画させるように各部を制御するＣＰＵ１１を有する。【選択図】      図１
2008243331.tif 000002
【特許請求の範囲】
【請求項１】
光ディスクのラベル面に描画データに応じた可視情報を描画する光ディスク装置において、
前記光ディスクに対してレーザ光を照射すると共に、前記光ディスクからの反射光を受光する光ピックアップヘッドと、
前記光ピックアップヘッドから前記ラベル面に前記描画データに応じたレーザ光を照射して可視情報を描画し、その可視情報が描画された前記ラベル面を前記光ピックアップヘッドにより読み取り、その読み取った反射光のレベル差から描画ムラがある描画箇所を検出した場合、前記レベル差に応じた補正用の記録パワーを設定し、この記録パワーに応じた描画データのレーザ光を当該描画箇所に照射して再描画する制御手段と
を具備したことを特徴とする光ディスク装置。
【請求項２】
前記制御手段は、全描画データのうち予め決められた所定トラック分の描画データの前記可視描画を読み取った時の前記反射光のレベル差に応じて前記記録パワーを設定することを特徴とする請求項１記載の光ディスク装置。
【請求項３】
前記制御手段は、全描画データの前記可視描画を読み取った時の前記反射光のレベル差に応じて前記記録パワーを設定することを特徴とする請求項１記載の光ディスク装置。
【請求項４】
前記制御手段は、前記再描画前に前記光ピックアップヘッドのフォーカス追従調整処理を実行することを特徴とする請求項１に記載の光ディスク装置。
【請求項５】
前記制御手段は、前記反射光のレベル差が大きい場合は強めの記録パワーを設定して前記再描画を行い、前記反射光のレベル差が小さい場合は弱めの記録パワーを設定して前記再描画を行うことを特徴とする請求項１乃至請求項３に記載の光ディスク装置。
【請求項６】
前記制御手段は、前記ラベル面からの前記反射光に応じた全加算信号又はＲＦ信号の振幅によって前記レベル差を求め、前記描画ムラのある描画領域と判断することを特徴とする請求項１に記載の光ディスク装置。
【請求項７】
光ディスクのラベル面に描画データに応じた可視情報を描画する光ディスク装置において、
前記光ディスクに対してレーザ光を照射すると共に、前記光ディスクからの反射光を受光する光ピックアップヘッドと、
前記光ピックアップヘッドから前記ラベル面にレーザ光を照射して所定トラック分の前記描画データの可視情報を描画する描画手段と、
前記描画手段によって描画された前記可視情報を前記光ピックアップヘッドによって直ちに読み取り、その読み取った反射光レベルのレベル差から描画ムラと判定するレベル判定手段と、
前記レベル判定手段によって前記描画ムラがあると判定された場合、前記レベル差に応じた補正用の記録パワーを設定し、その記録パワーに応じた描画データのレーザ光を前記光ピックアップヘッドから前記描画ムラの描画領域に照射して再描画する再描画手段と
を具備したことを特徴とする光ディスク装置。
【発明の詳細な説明】
【技術分野】
【０００１】
本発明は、光ディスクのラベル面に対して描画（印刷）をすることができる光ディスク装置に関する。
【背景技術】
【０００２】
近年、特殊塗料によりコーティングされた光ディスクのラベル面に、光ピックアップヘッドからのレーザ光を照射することで、ユーザが好みの可視情報を描画（印刷）することが可能な光ディスク装置が開発されている。この光ディスク装置において、描画データを印刷する場合、光ディスクのラベル面を光ピックアップと対向させるように装着される。そして、光ディスク装置は、描画可能な光ディスクであることを認識すると、ホスト装置（パーソナルコンピュータ）から入力される描画データに応じて、光ピックアップヘッドから光ディスクのラベル面に対してレーザ光を照射することで描画を行う。
【０００３】
特許文献１には、時間の経過や周囲の環境によってラベル面に形成した画像が薄くなった場合の再描画について記載されている。しかしながら、特許文献１では、明細書の段落「００８４」に記載されるように、光ディスクのレーベル面に画像を描画するか、または光ディスクに描画された画像を再描画するかの入力をユーザが行うものである。
【０００４】
そして、段落「００８８」に記載されるように、画像の再描画の入力があった場合、光ディスクのセットを促す内容を表示部に表示させ、ユーザが光ディスクをセットしたことを検出すると、レーザダイオードからリードパワーのレーザ光を照射させて、光ディスクのレーベル面に描画された画像を読み取る。続いて、制御回路が読み取った画像に基づいて光ディスクのレーベル面に画像を再描画するものである。これにより、経年変化により薄くなった画像を光ディスクのラベル面に再描画するものである。
【特許文献１】特開２００４−２１３７９６号公報
【発明の開示】
【発明が解決しようとする課題】
【０００５】
特許文献１の従来技術では、ユーザの指令および操作にしたがって、経年変化で薄くなった画像を再描画するもので、例えばリードパワーの設定が不適切な場合は、再描画画像も不鮮明になる問題がある。
【０００６】
一方、光ディスク装置では、光ピックアップヘッドの温度変動、あるいはメディア（光ディスク）の偏芯や反り等の要因により、描画した可視情報に描画ムラが発生することがある。すなわち、光ピックアップヘッドの温度変動、あるいはメディア（光ディスク）の偏芯や反り等に起因して、ホスト装置から入力された描画データでは意図されていない濃淡（コントラスト）が、ラベル面に描画した可視情報に発生してしまうことがある。
【０００７】
本発明の課題は、光ディスクのラベル面に対する描画中に発生する描画ムラを補正しながら可視情報を描画することが可能な光ディスク装置を提供することにある。
【課題を解決するための手段】
【０００８】
本発明は、光ディスクのラベル面に描画データに応じた可視情報を描画する光ディスク装置において、前記光ディスクに対してレーザ光を照射すると共に、前記光ディスクからの反射光を受光する光ピックアップヘッドと、前記光ピックアップヘッドから前記ラベル面に前記描画データに応じたレーザ光を照射して可視情報を描画し、その可視情報が描画された前記ラベル面を前記光ピックアップヘッドにより読み取り、その読み取った反射光のレベル差から描画ムラがある描画箇所を検出した場合、前記レベル差に応じた補正用の記録パワーを設定し、この記録パワーに応じた再描画データのレーザ光を当該描画箇所に照射して再描画する制御手段とを具備したことを特徴とする。
【発明の効果】
【０００９】
本発明によれば、光ディスクのラベル面に所定の描画データに応じた可視情報を描画した後この可視情報を読み取り、その読み取った反射光のレベル差から描画ムラを検出した場合は、そのレベル差に応じて補正用の記録パワーを設定して当該描画ムラの描画箇所を再描画することで、光ピックアップヘッドの温度変動やメディア（光ディスク）の偏芯や反り等の要因による描画ムラを補正することが可能となる。
【発明を実施するための最良の形態】
【００１０】
以下、図面を参照して本発明の実施の形態について説明する。  
図１は、本実施形態におけるシステムの構成を示すブロック図である。  
本実施形態における光ディスク装置は、ホスト装置１２によってアクセスされる。ホスト装置１２は、光ディスク装置をアクセスするためのアプリケーションプログラムを実行し、必要に応じて光ディスク装置に対してコマンドを出力する。ホスト装置１２から光ディスク装置に対して出力されるコマンドには、光ディスク１に記録されたデータの読み取りを指示するデータ読み取りコマンド、データの読み出しを中断することを指示するアイドルコマンドを含む。また、ホスト装置１２は、光ディスク１のラベル面に描画を実行するためのアプリケーションプログラムを実行することで、光ディスク１のラベル面に対する描画処理を実行する。
【００１１】
なお、ラベル面に対して絵柄情報（可視情報）を描画するためには、描画可能光ディスク（Light Scribe Disc）１が用いられる。描画可能光ディスク１には、光ピックアップヘッド３からレーザ光が照射されることで色素変化が発生する特殊塗料によりコーティングされている。以下、ラベル面に対して描画が実行される光ディスク１は、描画可能光ディスク１であるものとする。
【００１２】
光ディスク１は、スパイラル状のトラックが形成されている。光ディスク１は、スピンドルモータ２によって回転される。スピンドルモータ２は、サーボ回路１０の制御により、光ディスク１を回転させるためのモータである。スピンドルモータ２には、回転角に応じて信号を発生する周波数発生器（frequency generator（ＦＧ））が設けられる。周波数発生器（ＦＧ）は、例えば固定子の界磁コイルの起電圧、またはローターのマグネットの回転角を検出するホール素子の出力を利用して、回転角に応じたＦＧ信号、例えば１回転に１８個のＦＧ信号をサーボ回路１０に出力する。サーボ回路１０は、スピンドルモータ２から出力されるＦＧ信号を分周して、例えばスピンドルモータ２が１回転したことを示すＦＧ１信号を生成して制御回路９に出力する。制御回路９は、ＦＧ１信号と内部の基準周波数を比較し、その誤差に応じて、スピンドルモータ２を所定の回転数で回転させる。
【００１３】
光ディスク１に対するデータの記録、再生は、光ピックアップヘッド３（ＯＰＵＨ）から出力されるレーザ光によって行われる。光ピックアップヘッド３は、送りモータ７の回転軸に取り付けられたリードスクリュー５によって、光ディスク１の半径方向に移動されるように支持されている。光ピックアップヘッド３は、送りモータ７が回転されることにより、光ディスク１のデータ読み取り面と対向しながら（描画時にはラベル面と対向しながら）移動される。
【００１４】
光ピックアップヘッド３には、レーザダイオード（半導体レーザ）、コリメータレンズ、ビームスプリッタ、対物レンズ、シリンドリカルレンズ、フォトディテクタ、レンズポジションセンサ、モニタダイオード等が含まれている。
【００１５】
また、光ピックアップヘッド３には、対物レンズを直交する２方向に移動させる２軸アクチュエータが設けられている。すなわち、対物レンズをフォーカシング方向（レンズの光軸方向）に移動させてフォーカスを調整するフォーカシングアクチュエータ、対物レンズをトッラキング方向（半径方向）に移動させてトラッキングを調整するトラッキングアクチュエータが設けられている。フォーカシングアクチュエータは、サーボ回路１０から出力されるフォーカス駆動信号（フォーカス駆動電圧）により制御され、トラッキングアクチュエータは、サーボ回路１０からのトラッキング駆動信号により制御される。
【００１６】
光ピックアップヘッド３内のレーザダイオードは、制御回路９（ＡＰＣ（Auto Power Control）回路（図示せず））により駆動され、レーザ光を出力する。このレーザダイオードから出力されたレーザ光は、コリメータレンズ、ビームスプリッタ、対物レンズを介して光ディスク１の記録面又はラベル面に照射される。
【００１７】
光ディスク１の記録面又はラベル面からの反射光は、対物レンズ、ビームスプリッタ、及びシリンドリカルレンズを介して、フォトディテクタに導かれる。フォトディテクタは、例えば４分割されている。４分割されたフォトディテクタにより検知された信号は、電流電圧変換（Ｉ−Ｖ変換）により所定の電圧値に増幅されてサーボ回路１０のヘッドアンプ１４に出力される。
【００１８】
制御回路９は、ＣＰＵ１１の制御に基づいて、光ピックアップヘッド３のレーザダイオードを駆動する。すなわち、レーザ出力のオン／オフ、再生時または記録時、さらには光ディスク１のラベル面に対する描画時におけるレーザ光の強度を制御する。
【００１９】
サーボ回路１０は、光ピックアップヘッド３から出力された信号に応じて、光ピックアップヘッド３（アクチュエータ）、スピンドルモータ２、送りモータ７の駆動を制御する。この実施形態ではサーボ回路１０には、ヘッドアンプ１４が含まれており、各部を制御するための各種の信号を生成する。例えばヘッドアンプ１４は、レーザ光のビームスポット中心とトラック中心との誤差を示すトラッキングエラー信号（ＴＥ）、ジャストフォーカスからの誤差を示すフォーカスエラー信号（ＦＥ）、フォトディテクタから出力される信号を加算した全加算信号（ＲＦ信号）などを生成して出力する（詳細については後述する（図２））。
【００２０】
サーボ回路１０は、ヘッドアンプ１４から出力されるフォーカスエラー信号ＦＥに応じて、光ピックアップヘッド３のフォーカシングアクチュエータに対してフォーカス駆動信号を出力して、フォーカシングを制御する。また、サーボ回路１０は、ヘッドアンプ１４から出力されるトラッキングエラー信号ＴＥに応じて、光ピックアップヘッド３のトラッキングアクチュエータに対してトラッキング駆動信号を出力して、トラッキングを制御する。
【００２１】
また、ヘッドアンプ１４により生成された全加算信号（及びＲＦ信号）は制御回路９に出力される。制御回路９は、ヘッドアンプ１４からの信号をＡ／Ｄ変換してＣＰＵ１１に出力する。ＣＰＵ１１は、光ディスク１のラベル面に対して描画する場合には、全加算信号をもとにした信号値を、光ディスク１のラベル面における反射光レベルとして処理する。
【００２２】
センサ４は、光ディスク１のラジアル方向の位置を取得するための信号を検出して、制御回路９に出力するセンサである。センサ４は、例えばラベル面の最内周部分の領域に形成されている円周方向の基準となる位置情報を読み取った信号を出力する。また、センサ６は、光ピックアップヘッド３と共に送りモータ７の駆動により光ディスク１の半径方向に移動されるもので、光ディスク１の半径方向の位置を取得するための信号を検出して制御回路９に出力するセンサである。制御回路９は、センサ４，６からの信号を取得してＣＰＵ１１へ送信すると共に、センサ４，６により検出された信号により検出される光ディスク１に対する光ピックアップヘッド３の位置に応じて各部を制御する。
【００２３】
ＣＰＵ１１は、ホスト装置１２とのインタフェース制御、ホスト装置１２から入力されるデータ（描画データ等）の管理、制御回路９から出力される信号の監視と制御回路９を介した各部の制御等を実行する。ＣＰＵ１１は、光ディスク１のラベル面に対して描画を実行する場合には、ホスト装置１２から描画データをバッファメモリ８に保存して管理する。
【００２４】
ホスト装置１２は、光ディスク装置を使用するアプリケーションを実行する。ホスト装置１２は、光ディスク１のレベル面に対して描画するためのアプリケーションを実行することで、描画データをＣＰＵ１１に出力し、光ディスク装置における描画処理を制御する。
【００２５】
図２は、光ピックアップヘッド３のフォトディテクタ（３ａ，３ｂ，３ｃ，３ｄ）とヘッドアンプ１４の詳細な構成を示す図である。  
４分割されたフォトディテクタ３ａ，３ｂ，３ｃ，３ｄにより検出された信号Ａ〜Ｄは、それぞれ光ピックアップヘッド３内に設けられたＩ−Ｖ変換器３ｅ，３ｆ，３ｇ，３ｈにより、所定の電圧値となるように電流電圧変換される。
【００２６】
Ｉ−Ｖ変換器３ｅから出力される信号Ａは、ヘッドアンプ１４内の加算器１４ａ，１４ｄに入力される。Ｉ−Ｖ変換器３ｆから出力される信号Ｂは、加算器１４ｂ，１４ｃに入力される。Ｉ−Ｖ変換器３ｇから出力される信号Ｃは、ヘッドアンプ１４内の加算器１４ａ，１４ｃに入力される。また、Ｉ−Ｖ変換器３ｈから出力される信号Ｄは、ヘッドアンプ１４内の加算器１４ｂ，１４ｄに入力される。従って、加算器１４ａは、信号Ａと信号Ｃとが加算された信号（Ａ＋Ｃ）を出力する。同様にして、加算器１４ｂは信号（Ｂ＋Ｄ）を出力し、加算器１４ｃは信号（Ｂ＋Ｃ）を出力し、加算器１４ｄは信号（Ａ＋Ｄ）を出力する。
【００２７】
加算器１４ａから出力される信号（Ａ＋Ｃ）は、減算器１４ｅ、加算器１４ｈ、及びＨＰＦ（high pass filter）１４ｏに入力される。加算器１４ｂから出力される信号（Ｂ＋Ｄ）は、減算器１４ｅ、加算器１４ｈ、及びＨＰＦ１４ｐに入力される。加算器１４ｃから出力される信号（Ｂ＋Ｃ）は、減算器１４ｆ、加算器１４ｇに入力される。加算器１４ｄから出力される信号（Ａ＋Ｄ）は、減算器１４ｆ、加算器１４ｇに入力される。
【００２８】
減算器１４ｅは、加算器１４ａからの信号（Ａ＋Ｃ）から、加算器１４ｂからの信号（Ｂ＋Ｄ）を引いた信号を出力する。減算器１４ｅから出力された信号は、ＬＰＦ（low pass filter）１４ｓを介してフォーカスエラー信号（ＦＥ）として出力される。すなわち、フォーカスエラー信号ＦＥ＝（Ａ＋Ｃ）−（Ｂ＋Ｄ）が生成されて、光ピックアップヘッド３に出力される。
【００２９】
減算器１４ｆは、加算器１４ｄからの信号（Ａ＋Ｄ）から、加算器１４ｃからの信号（Ｂ＋Ｃ）を引いた信号を出力する。減算器１４ｆから出力された信号は、ＬＰＦ１４ｔを介してプッシュプル法によるトラッキングエラー信号（ＰＰ−ＴＥ）として出力される。すなわち、プッシュプル法によるトラッキングエラー信号（ＰＰ−ＴＥ）＝（Ａ＋Ｄ）−（Ｂ＋Ｃ）が生成されて、光ピックアップヘッド３に出力される。
【００３０】
位相比較器１４ｑは、ＨＰＦ１４ｏを介して加算器１４ａから出力された信号（Ａ＋Ｃ）と、ＨＰＦ１４ｐを介して加算器１４ｂからの信号（Ｂ＋Ｄ）とを入力して、２つの信号の位相差を表す信号、すなわち信号（Ａ＋Ｃ）から信号（Ｂ＋Ｄ）を引いた信号を出力する。位相比較器１４ｑから出力された信号は、ＬＰＦ１４ｒを介して位相差法によるトラッキングエラー信号ＴＥ（ＤＰＤ（Deferential Phase Detection）−ＴＥ）として出力される。すなわち、位相差法によるトラッキングエラー信号（ＤＰＤ−ＴＥ）＝φ（Ａ＋Ｃ）−φ（Ｂ＋Ｄ）として生成される。このトラッキングエラー信号（ＤＰＤ−ＴＥ）をトラッキングエラー信号（ＰＰ−ＴＥ）に代えて、光ピックアップヘッド３に出力しても良い。
【００３１】
加算器１４ｇは、加算器１４ｄから出力された信号（Ａ＋Ｄ）と加算器１４ｃから出力された信号（Ｂ＋Ｃ）とを加算して出力する。また、加算器１４ｈは、加算器１４ａから出力された信号（Ａ＋Ｃ）と加算器１４ｂから出力された信号（Ｂ＋Ｄ）とを加算して出力する。加算器１４ｉは、加算器１４ｇと加算器１４ｈから出力された信号を加算して出力する。すなわち、加算器１４ｉは、全てのフォトディテクタ３ａ，３ｂ，３ｃ，３ｄから出力された信号の全てを加算した信号（Ａ＋Ｂ＋Ｃ＋Ｄ）を出力する。加算器１４ｉから出力された信号は、ＬＰＦ１４ｊを介して全加算信号ＬＶＬとして出力される。また、加算器１４ｉから出力された信号は、ＨＰＦ１４ｋを介して情報信号ＲＦ（以下、ＲＦ信号と称する）として出力される。さらに、ＨＰＦ１４ｋを介して出力される信号は、振幅検波器１４ｌに入力される。振幅検波器１４ｌは、ＲＦ信号の振幅値を検知し、この振幅値に比例して変化するＲＦ振幅信号ＲＦＲＰを出力する。
【００３２】
振幅検波器１４ｌから出力されるＲＦ振幅信号は、比較器１４ｎに入力される。比較器１４ｎは、基準器１４ｍに予め設定されている基準値とＲＦ振幅信号のレベルとを比較し、基準値よりＲＦ振幅信号のレベルが高い場合に、ＲＦ検出信号ＳＩＧＤＥＴを出力する。すなわち、ＳＩＧＤＥＴ信号は、光ディスク１に記録された情報を表すＲＦ信号が検出されたことを示す。
【００３３】
本実施形態における光ディスク装置では、光ディスク１のラベル面に対して描画をする場合、例えば全加算信号ＬＶＬ（あるいはＲＦ信号でも良い）を用いて描画した可視情報の反射光レベルを検出し、補正用の記録パワーを設定するものとする。なお、反射光レベルは、全加算信号ＬＶＬあるいはＲＦ信号の振幅値に応じて求められる。
【００３４】
次に、本実施形態における光ディスク装置の光ディスク１のレベル面に対する描画処理について、図３に示すフローチャートを参照しながら説明する。
【００３５】
まず、ＣＰＵ１１は、ホスト装置１２から光ディスク１のラベル面に描画する絵柄（可視情報）についての描画データを取り込み、一旦、バッファメモリ８に格納する。光ディスク装置は、ラベル面が下向き（光ピックアップヘッド１１と対向する側）となるように光ディスク１がセットされていれば、この光ディスク１に対する初期化処理を実行する。
【００３６】
ＣＰＵ１１は、制御回路９を介してサーボ回路１０を動作させて、スピンドルモータ２を回転させる。また、ＣＰＵ１１は、制御回路９により光ピックアップヘッド３からレーザ光を照射させて初期化処理を実行する。初期化処理では、ラベル面の最内周部に設けられた、メディアに関する情報が記録された領域からセンサ４によって各種の情報が読み取られ、制御回路９に入力される。初期化処理によって読み取られる情報には、描画が可能な光ディスク１であることを示す情報や、光ディスク１の種類などが含まれるものとする。
【００３７】
ここで、描画可能光ディスク１であることを示す情報が読み取られた場合、ＣＰＵ１１は、ホスト装置１２からの印刷開始のコマンドに応じて印刷動作を開始する。
【００３８】
まず、ＣＰＵ１１は、描画していない状態での光ディスク１のラベル面における反射光レベルを検出して記録する（ステップＡ１）。すなわち、ＣＰＵ１１は、制御回路９によって、例えば光ディスク１のデータ面に記録されたデータを読み取る時の再生パワーで光ピックアップヘッド３からレーザ光を照射させる。ここでは、例えばラベル面の最内周近傍に対してレーザ光が照射されるように、送りモータ７を駆動して光ピックアップヘッド３を移動させる。初期処理では、ラベル面の最内周部において情報の読み取りを実行しているので、ラベル面の最内周近傍において反射光レベルを検出することで、光ピックアップヘッド３の移動距離を短くすることができる。
【００３９】
光ピックアップヘッド３は、入射された反射光に応じた信号をサーボ回路１０のヘッドアンプ１４に出力する。ヘッドアンプ１４は、光ピックアップヘッド３から出力された信号に応じて生成された全加算信号ＬＶＬを制御回路９に出力する。制御回路９は、ヘッドアンプ１４からの全加算信号ＬＶＬをＡ／Ｄ変換し、その信号値をＣＰＵ１１に出力する。ＣＰＵ１１は、制御回路９から入力される信号値を、「描画がされていないラベル面の反射光レベルを示すデータ」（レベル基準値）として記録しておく。通常、描画がされていないラベル面における反射光に応じて出力される信号の振幅値は、描画がされている部分の反射光に応じて出力される信号の振幅値よりも大きくなる。
【００４０】
次に、ＣＰＵ１１は、バッファメモリ８に保存されている描画データに応じて描画を実行する（ステップＡ２）。ＣＰＵ１１は、制御回路９の制御によって、描画用の記録パワーで光ピックアップヘッド３からレーザ光を照射させることにより、光ディスク１のラベル面に対する描画を実行する。ＣＰＵ１１は、バッファメモリ８に保存された全描画データに対する描画が終了するまで、以下に説明するステップＡ４〜Ａ１３の処理を実行する。
【００４１】
ＣＰＵ１１は、予め決められた所定トラック分の描画データについての可視情報の描画が完了しているかを判定する（ステップＡ４）。ここで、所定トラック分の描画データとしては、例えば１トラック分の描画データとする（光ディスク１をスピンドルモータ２により１回転させる間に描画される描画データ）。
【００４２】
ＣＰＵ１１は、所定トラック分の描画データの描画が完了すると（ステップＡ４、Ｙｅｓ）、直ちに描画済みの先頭位置に光ピックアップヘッド３を移動させる（ステップＡ５）。ここでは、１トラック分の描画を完了した後であるので、直前トラックに移動させることになる。
【００４３】
ＣＰＵ１１は、制御回路９の制御によって、再生パワーで光ピックアップヘッド３から光ディスク１のラベル面にレーザ光を照射して、可視情報の描画済み範囲における反射光レベルを読み取る（ステップＡ６）。
【００４４】
次に、ＣＰＵ１１は、可視情報の描画済み範囲から読み取った反射光レベルについて、描画箇所によって予め設定された基準値以上のレベル差が発生しているかを判定する。
【００４５】
図４（Ａ）には、光ピックアップヘッド３によって入射された反射光に応じた全加算信号ＬＶＬを示している。なお、ここでは説明を簡単にするために、コントラスト（濃淡）が一定の可視情報（絵柄）を描画する場合を例にして説明する。
【００４６】
描画ムラが生じていない場合、ラベル面からの反射光に応じた全加算信号ＬＶＬの振幅は、可視情報の描画済み範囲でほぼ一定となる。これに対して、光ピックアップヘッド３の温度変化、光ディスク１の偏芯や反りなどの影響のために描画ムラが生じている場合、図４（Ａ）の中間部に示すように、全加算信号ＬＶＬの振幅に変動が生じる。例えば、描画ムラのために描画が薄くなった描画箇所では全加算信号ＬＶＬの振幅が小さくなり反射光レベルが低くなる。この結果、図４（Ｂ）に示すように、正常に描画が行われた箇所と描画が薄くなった箇所では、反射光レベルにレベル差が生じる。
【００４７】
ＣＰＵ１１は、描画箇所によって基準値以上のレベル差があると判定した場合（ステップＡ７、Ｙｅｓ）、そのレベル差が補正の必要のない有効範囲内（コントラストに影響がないレベル）であるかを判定する。すなわち、ＣＰＵ１１は、可視情報の描画済み範囲から読み取った反射光レベルが、図５に示す有効範囲内にある場合、すなわちレベル差が有効範囲幅より少ない場合には（ステップＡ８、Ｙｅｓ）、補正が不要であると判定して、次の描画データに応じた描画動作を継続する（ステップＡ２〜）。また、ＣＰＵ１１は、可視情報の描画済み範囲から読み取った反射光レベルが、ステップＡ１において予め記録した「描画していないラベル面の反射光レベル（レベル基準値）」である場合には、補正処理が不要であると判定して、次の描画データに応じた描画動作を継続する（ステップＡ２〜）。
【００４８】
これに対して、可視情報の描画済み範囲から読み取った反射光レベルが有効範囲以下である場合、すなわち反射光のレベル差が有効範囲幅より大きく、その反射光レベルから描画状態が薄い（描画ムラ）と判定される描画箇所がある場合には（ステップＡ８、Ｎｏ）、補正が必要であると判定して補正処理へ移行する。
【００４９】
ＣＰＵ１１は、描画済み範囲から読み取った反射光レベルのレベル差から、補正用の記録パワーを設定する（ステップＡ９）。すなわち、反射光レベルのレベル差が大きい場合には、強めの記録パワーを設定して再描画に供するようにし、逆に反射光レベルのレベル差が小さい場合には、弱めの記録パワーを設定して再描画に供するようにする。
【００５０】
例えば、レベル差の基準単位の１ステップに対して、記録パワーの変動幅を示すパワー値を予め設定しておく。ＣＰＵ１１は、描画済み範囲から読み取った反射光レベルのレベル差が何ステップに相当するかを算出し、そのステップ数とパワー値との乗算によって補正用の記録パワーを求める。また、レベル差の基準単位ステップ毎にパワー値を予め設定したテーブルを用意して、反射光レベルのレベル差のステップ数に応じて設定したパワー値を出力するようにしても良い。
【００５１】
このように、反射光レベルのレベル差に応じて記録パワーを設定することで、描画ムラ（薄さ）の程度に応じたパワーにより再描画をすることになり最適な補正ができる。
【００５２】
次にＣＰＵ１１は、制御回路９の制御によって反射光のレベル差が生じている箇所、すなわち補正をするために再描画が必要な位置の描画データを出力し、そのレーザ光が照射されるように光ピックアップヘッド３を半径方向に移動させる（ステップＡ１０）。ＣＰＵ１１は、センサ４とセンサ６から検出される信号をもとに、光ピックアップヘッド３によってレーザ光が照射される位置をドット単位（描画最小単位）で検出することができる。
【００５３】
次にＣＰＵ１１は、光ピックアップヘッド３を移動させた後、制御回路９及びサーボ回路１０を通じて、フォーカス追従調整処理を実行する（ステップＡ１１）。これは、再描画が必要な範囲（反射光レベルにレベル差が生じた箇所）では、光ディスク１の偏芯や反りが発生している可能性が高いため、再度、フォーカシングすることにより光ディスク１の状態に合わせた描画ができるようにする。
【００５４】
そして、ＣＰＵ１１は、制御回路９の制御によって、先に設定している補正用の記録パワーによる描画データのレーザ光が光ピックアップヘッド３から照射されるように制御し、反射光レベルにレベル差が生じていた箇所に対して再描画を実行する（ステップＡ１２）。
【００５５】
図６（Ａ）は再描画処理により補正がされない場合の光ディスク１の描画状態を示し、図６（Ｂ）は描画補正後の光ディスク１の描画状態を示している。  
図６（Ａ）に示す例では、光ディスク１の反りにより、可視情報（絵柄）が描画された範囲の一部（図中の左側端部近傍）に描画の薄い箇所（描画ムラ）が発生している。本実施形態における光ディスク装置では、所定トラック分の描画データに対する描画を実行しながら、前述したように直ちに描画結果を確認し、描画が薄い箇所を検出すると再描画処理によって補正する。すなわち、図６（Ａ）に示す例では、可視情報が描画された左側端の描画ムラ部分に対して再描画が実行される。この結果、図６（Ｂ）に示すように、光ディスク１に発生している反りの状態に関係なく、描画範囲の全体に渡って描画データに応じたコントラストが一定の可視情報を描画することが可能となる。
【００５６】
ＣＰＵ１１は、再描画処理を完了すると、制御回路９の制御によって光ピックアップヘッド３から照射されるレーザ光のパワーを通常の描画用に戻す（ステップＡ１３）。前述した再描画処理では、描画が薄い箇所に対して再描画するための補正用の記録パワーに設定しているため、そのまま次の新規の箇所に対する描画処理に移行すると強い記録パワーにより描画を行うことになる。従って、通常の描画処理に移行する前に記録パワーの再設定をしておく。
【００５７】
ＣＰＵ１１は、制御回路９の制御によって光ピックアップヘッド３から照射されるレーザ光の記録パワーの再設定後、再度、描画動作を継続して実行する（ステップＡ２〜）。
【００５８】
このようにして、本実施形態における光ディスク装置では、光ディスク１のラベル面に対して描画を実行する場合に、光ピックアップヘッド３の温度変化、光ディスク１の偏芯や反りなどの影響のために描画ムラが生じたとしても、所定分の描画データ単位で再描画により補正をするので、全ての描画データに対する描画処理が終了した時点で、描画データが示す本来の可視情報を描画することができる。
【００５９】
なお、前述した説明では、再描画処理の対象となる所定トラック分の描画データを１トラック分の描画データとする場合について説明しているが、所定トラック分の描画データは、１トラック分以外であっても良い。
【００６０】
例えば、所定トラック分の描画データを複数トラック分の描画データとすることもできる。この場合、描画される全トラックを複数に分割して、この分割された複数のトラック単位で補正処理（再描画）を実行する。複数のトラック単位で補正処理を実行する場合には、前述したように、再描画が必要とされた箇所のそれぞれに対する補正用の記録パワーを記録しておき、再描画処理時に順次読み出して、光ピックアップヘッド３から照射されるレーザ光のパワーを制御するものとする。
【００６１】
また、所定トラック分の描画データを全描画データとすることもできる。この場合、全描画データに対する描画が完了した後に、描画済みの範囲全体について再描画が必要な箇所を前述と同様にして判別して、各箇所のそれぞれについて補正用の記録パワーを設定しておく。その後、描画済み範囲全体の再描画が必要な箇所に対して再描画処理を実行する。
【００６２】
さらに、再描画処理の対象となる所定トラック分の描画データを１トラックよりも短い単位（１／ｎトラック）としても良い。この場合、１トラックを複数に分割して、各分割された範囲毎に前述と同様の処理を実行すれば良い。
【００６３】
また、前述した説明では、コントラスト（濃淡）が一定の可視情報を描画する場合を例にしているが、濃淡がある可視情報を描画する場合にも適用することができる。この場合、反射光レベルを読み取るために描画する所定分の描画データを描画した後、反射光レベルを読み取り、この反射光レベルが描画データに設定されている濃淡に相当するか（有効範囲内か）を判別する。反射光レベルが描画データに設定されている濃淡に相当しない場合、その差に応じて補正用の記録パワーを設定して再描画処理を実行する。これにより、濃淡がある可視情報を描画する場合においても再描画による補正を実行できる。
【００６４】
さらに、上記実施の形態には種々の段階の発明が含まれており、開示される複数の構成要件における適宜の組み合わせにより種々の発明が抽出され得る。
【図面の簡単な説明】
【００６５】
【図１】本発明の実施形態におけるシステムの構成を示すブロック図。
【図２】本実施形態における光ピックアップヘッド３のフォトディテクタとヘッドアンプ１４の詳細な構成を示す図。
【図３】本実施形態における光ディスク装置の光ディスク１のレベル面に対する描画処理を示すフローチャート。
【図４】本実施形態における反射光に応じた全加算信号と反射光レベルを示す図。
【図５】本実施形態における反射光レベルの有効範囲を説明するための図。
【図６】光ディスク１に対する描画状態の一例を示す図。
【符号の説明】
【００６６】
１…光ディスク、２…スピンドルモータ、３…光ピックアップヘッド（ＯＰＵＨ）、４…センサ、５…リードスクリュー、６…センサ、７…送りモータ、８…バッファメモリ、９…制御回路、１０…サーボ回路、１１…ＣＰＵ、１２…ホスト装置、１４…ヘッドアンプ。
【図１】
2008243331.tif 000003
【図２】
2008243331.tif 000004
【図３】
2008243331.tif 000005
【図４】
2008243331.tif 000006
【図５】
2008243331.tif 000007
【図６】
2008243331.tif 000008